(57)【特許請求の範囲】
【請求項１】
水素ガス供給源と充填タンクとを接続する充填ホースの端末部に設けるニップル内に緊急遮断弁を組み込んだ水素充填用ホース金具であって、
前記緊急遮断弁は、水素ガス供給源側の圧力が、充填タンク内の水素ガス圧よりも低くなった時に流通路を遮断するように構成し、前記ニップルと緊急遮断弁との少なくとも一方を非金属材料により構成したことを特徴とする水素充填用ホース金具。
【請求項２】
前記ニップルと緊急遮断弁との接触面に非金属材料を被覆した請求項１に記載の水素充填用ホース金具。
【発明の詳細な説明】
【技術分野】
【０００１】
この発明は、水素充填用ホース金具に係わり、更に詳しくは水素ガス供給源と充填タンクとを接続する充填ホースの端末部に設けるニップル内に緊急遮断弁を組み込んだ水素充填用ホース金具の改良に関するものである。
【背景技術】
【０００２】
従来、燃料電池車等に使用される水素燃料（水素ガス）は、水素ガス供給源から銅配管を介して充填タンク（タンクローリー車）に供給されている。銅配管は、一定の剛性を備えているので配管部の破損等の危険性が低く、従って、充填タンク側には特に配管部破損時におけるガス漏れ防止用の緊急遮断弁等は設置されていない。
【０００３】
しかし、銅配管は可撓性が低く、湾曲させて設置する時等に問題があり、このため、ゴムホースまたは樹脂ホース配管等に変更することも考えられるが、ゴムホースまたは樹脂ホース配管のホース本体部破壊、ホース抜け、加締め部漏れ等による配管部破損の危険性は銅配管に比較して極めて高くなる。万が一、配管部の破損により水素ガス漏れが発生した場合は、充填タンクに充填された水素ガスは充填タンク内が空になるまで流出し、また近くに着火源がある場合には爆発の危険性があるため、即座にガス漏れを遮断して安全性を確保する必要がある。
【０００４】
そこで、一般の緊急遮断弁を備えた金属製の接続金具を使用することも提案されているが、従来の接続金具はニップル及びその内部に組み込まれた緊急遮断弁が金属製であるために、作動時に静電気等の火花が飛んだ場合には漏れた水素ガスに引火して大爆発を起こす可能性もあると言う問題があった（例えば、特許文献１参照）。
【０００５】
また、水素ステーションから燃料電池車への燃料供給用の充填ホースにおいても同様な危険性があり、ディスペンサーのシステムに従来から使用されている緊急遮断弁を搭載して、安全性を確保している。更に、水素ステーションから燃料電池車への燃料供給用の充填ホースには、大型の緊急離脱カップリングをホースアッセンブリに接続する必要があったため、コストアップになる問題があった。
【特許文献１】特開２００３−１５６１６４号公報
【発明の開示】
【発明が解決しようとする課題】
【０００６】
この発明はかかる従来の問題点に着目し、水素ガスのホース配管に設ける接続金具に、発火しない緊急遮断弁を設けることで、水素ガス漏れの防止と発火防止とを同時に行うことが出来ると共に、大型な緊急離脱カップリングをホースアッセンブリに接続する必要がないのでコストダウンを図ることが出来る水素充填用ホース金具を提供することを目的とするものである。
【課題を解決するための手段】
【０００７】
この発明は上記目的を達成するため、この発明の水素充填用ホース金具は、水素ガス供給源と充填タンクとを接続する充填ホースの端末部に設けるニップル内に緊急遮断弁を組み込んだ水素充填用ホース金具であって、前記緊急遮断弁は水素ガス供給源側の圧力が、充填タンク内の水素ガス圧よりも低くなった時に流通路を遮断するように構成し、前記ニップルと緊急遮断弁との少なくとも一方を非金属材料により構成したことを要旨とするものである。ここで、前記ニップルと緊急遮断弁との接触面に非金属材料を被覆することも可能である。
【０００８】
この発明は、上記のように構成することで、水素ガス漏れの防止と発火防止とを同時に行い安全性を高めることが出来、また従来のような大型の緊急離脱カップリングを使用しないので、コストダウンを図ることが出来るものである。
【発明の効果】
【０００９】
この発明は、水素ガス供給源と充填タンクとを接続する充填ホースの端末部に設けるニップル内に緊急遮断弁を組み込んだ水素充填用ホース金具であって、前記緊急遮断弁は、水素ガス供給源側の圧力が、充填タンク内の水素ガス圧よりも低くなった時に流通路を遮断するように構成し、前記ニップルと緊急遮断弁との少なくとも一方を非金属材料により構成したので、水素ガス漏れの防止と発火防止とを同時に行うと共に安全性を高めることが出来、大型の緊急離脱カップリングをホースアッセンブリに接続する必要がないのでコストダウンを図ることが出来る効果がある。
【発明を実施するための最良の形態】
【００１０】
以下、添付図面に基づき、この発明の実施形態を説明する。
【００１１】
図１は、水素ガス供給源１と充填タンク２との間に、充填ホース３を介して配設する水素充填用ホース金具の配置図を示し、図２はこの発明を実施した水素ガス供給源１と充填タンク２とを接続する充填ホース３の一方の端末部に取付けられた水素充填用ホース金具４ｂの開弁時の断面図、図３は図２のＡ−Ａ矢視側面図、図４は前記水素充填用ホース金具４ｂの閉弁時の断面図、図５は図４のＢ−Ｂ矢視側面図を示し、前記水素充填用ホース金具４ｂは、上述したように充填ホース３の一方の端末部に取付けられ、水素ガス供給源１と充填タンク２との接続金具等に直接接続出来るように構成されている。
【００１２】
また水素ガス供給源１側の充填ホース３にはホース金具４ａが取り付けられ、このホース金具４ａには、後述する緊急遮断弁６が組み込まれていない一般のホース金具を使用している。また、前記水素ガス供給源１には、図示しない水素ガス圧力、流量制御装置等が装備されているものである。
【００１３】
前記水素充填用ホース金具４ｂは、ニップル５内に水素ガスＷの流通路８が形成され、流通路８の一方は水素ガスＷの流入口５ａとなり、他方は水素ガスＷの流出口５ｂとなっている。また、前記流通路８内には、緊急遮断弁６が組み込まれ、スプリング等の弾性部材７を介して常時開弁方向、即ち、流出口５ｂ側に附勢されている。５Ｘは、ソケットを示している。
【００１４】
前記緊急遮断弁６は、弁体６Ａの一端側に流通路８の流出口５ｂ側に形成された段部１０に気密的に当接する板状の円板体９ａを設けると共に、他端側には、流通路８の流入口５ａ側に形成された弁座１１に気密的に当接する駒状の載頭円錐部材９ｂが形成され、前記円板体９ａには、周方向に９０度間隔で流通穴１２が形成されている。
【００１５】
前記緊急遮断弁６を常時開弁方向に附勢する弾性部材７の弾性力は、水素ガス供給源１側の圧力が、充填タンク２内の水素ガス圧よりも低くなった時に流通路８を遮断するように構成し、従って、通常の水素充填時には、図２及び図３に示すように流通路８を通って弁体６Ａの円板体９ａの流通穴１２から流出口５ｂ側に流出して充填タンク２内に充填される。
【００１６】
また、水素ガス供給源１側の圧力が、充填タンク２内の水素ガス圧よりも低くなった場合、即ち、緊急時は図４及び図５に示すように、弾性部材７の弾性力に抗して緊急遮断弁６を水素ガス供給源１側に押圧して駒状の載頭円錐部材９ｂが弁座１１と当接して水素ガスＷの流通路８を遮断するように構成されている。
【００１７】
そして、この発明の実施形態では、前記ニップル５の内壁面と緊急遮断弁６との少なくとも一方（両方でも良い）を、フッ素樹脂，エポキシ樹脂，ウレタン樹脂等の樹脂材料やセラミック等の非金属材料により構成し、例えば、ホース本体部破壊等により、水素ガスが漏出した場合にも、緊急遮断弁６の作動でニップル５の内壁面と緊急遮断弁６との摺動面等で火花が発生することなく安全性を高めた構成にしてある。  なお、前記ニップル５と緊急遮断弁６との全体を非金属材料により構成せず、ニップル５と緊急遮断弁６との接触面や、弾性部材７を上記と同様なフッ素樹脂，エポキシ樹脂，ウレタン樹脂等の樹脂材料等の非金属材料により被覆した構成にしても良い。
【００１８】
以上のように、この発明の実施形態の緊急遮断弁６は、水素ガス供給源１側の圧力が、充填タンク２内の水素ガス圧よりも低くなった時に流通路８を遮断するように構成し、前記ニップル５と緊急遮断弁６との少なくとも一方を非金属材料により構成したので、水素ガス漏れの防止と発火防止とを同時に行い、安全性を高めることが出来る。また、従来のように大型な緊急離脱カップリングをホースアッセンブリに接続する必要がないのでコストダウンを図ることが出来るものである。
【図面の簡単な説明】
【００１９】
【図１】水素ガス供給源と充填タンクとの間に、充填ホースを介して配設する水素充填用ホース金具の配置図である。
【図２】この発明を実施した水素ガス供給源と充填タンクとを接続する充填ホースの一方の端末部に取付けられた水素充填用ホース金具の開弁時の断面図である。
【図３】図２のＡ−Ａ矢視側面図である。
【図４】水素充填用ホース金具の閉弁時の断面図である。
【図５】図４のＢ−Ｂ矢視側面図である。
【符号の説明】
【００２０】
１  水素ガス供給源
２  充填タンク
３  充填ホース
４ａ  ホース金具
４ｂ  水素充填用ホース金具
５  ニップル
５ａ  流入口
５ｂ  流出口
５Ｘ  ソケット
６  緊急遮断弁                                                                  ６Ａ  弁体
７  弾性部材
８  流通路
９ａ  円板体
９ｂ  載頭円錐部材
１０  段部
１１  弁座
１２  流通穴
Ｗ  水素ガス
【図１】
0005104236.tif 000002
【図２】
0005104236.tif 000003
【図３】
0005104236.tif 000004
【図４】
0005104236.tif 000005
【図５】
0005104236.tif 000006